(57)【要約】【課題】処理に必要な回路規模の増大や取り決めの複雑化を抑えつつ、異常な表示が起こったことを受け最初期化を行うことが可能な液晶表示装置を提供することを目的とする。【解決手段】本発明に係る液晶テレビ１０は、テレビ回路１１とテレビ回路１１によって駆動される液晶モジュール１２を備える液晶テレビ１０であって、テレビ回路１１は、液晶モジュール１２に対応した電源電圧Ｄｃ、デジタル映像信号Ｖｐ、およびタイミング信号Ｓｅを出力する手段を備え、液晶モジュール１２は、タイミング信号Ｓｅを受け同期信号Ｓｓを再生し出力する手段を備え、テレビ回路１１は、同期信号Ｓｓを受けタイミング信号Ｓｅと比較し同期信号Ｓｓが正常か否かを判定し、判定により液晶モジュール１２の再初期化処理を行うか否かの制御をする制御部１をさらに備えて構成される。【選択図】図１
2009223086.tif 000002
【特許請求の範囲】
【請求項１】
液晶モジュール駆動部と前記液晶モジュール駆動部によって駆動される液晶モジュールを備える液晶表示装置であって、
前記液晶モジュール駆動部は、
前記液晶モジュールに対応した電源電圧、映像信号、およびタイミング信号を出力する手段を備え、
前記液晶モジュールは、
前記タイミング信号を受け同期信号を再生し出力する手段を備え、
前記液晶モジュール駆動部は、
前記同期信号を受け前記タイミング信号と比較し前記同期信号が正常か否かを判定し、前記判定により前記液晶モジュールの再初期化処理を行うか否かの制御をする制御手段をさらに備える、
液晶表示装置。
【請求項２】
前記制御手段は、前記再初期化処理を所定の回数繰り返しても前記同期信号が正常であるとの判定がなされない場合、前記電源電圧、前記映像信号、および前記タイミング信号の出力を停止する、
請求項１に記載の液晶表示装置。
【発明の詳細な説明】
【技術分野】
【０００１】
本発明は、液晶表示装置に関する。
【背景技術】
【０００２】
従来の液晶表示装置について、ここでは特に液晶テレビについて説明する。従来の液晶テレビでは、テレビ回路内で作成した映像信号、タイミング信号、電源電圧等をテレビ回路側から液晶モジュールの方向に一方的に送信していた。
【０００３】
テレビ回路内で作成した映像信号、タイミング信号、電源電圧等の液晶モジュールへの送信タイミングはマイクロコンピュータによって制御される。しかし、マイクロコンピュータでは前記タイミング制御以外の様々な制御を行っているため、他の割り込み処理によって、前記タイミングが意図せず通常のタイミングと異なってしまう場合がある。
【０００４】
一方、液晶モジュール内のタイミングコントロール部には、入力される映像信号、タイミング信号、電源電圧等の順序や時間のタイミング、周期の範囲などが規定されている。前記通常のタイミングと異なる信号について、液晶モジュール内のタイミングコントロール部に規定されている範囲外の場合には、液晶モジュールは正常な動作が出来ず、液晶に異常な表示がされてしまうことがある。
【０００５】
前記のとおり、各信号は一方的に送信されているため、テレビ回路側は液晶が異常な表示になっているかどうか分からない。また、この異常な表示を正常な表示に直すためには、液晶テレビの使用者に、一度テレビの電源を切ってから再度電源を入りにしてもらわなければならなかった。このとき、使用者に液晶テレビが不良品ではないかと言う不安を与えかねない。
【０００６】
このような問題を解決する発明としては、例えば特許文献１，２のようなものがある。特許文献１には、正常に表示が行われているか否かの判定に映像信号を利用する方法が示されている。また特許文献２には、イニシャライズの処理が終了するまで表示を開始しない方法が示されている。
【０００７】
【特許文献１】特開２００２−３６９２２６号公報
【特許文献２】特開２００５−２４８８２号公報
【発明の開示】
【発明が解決しようとする課題】
【０００８】
しかしながら、特許文献１の方法は映像信号により判定を行うため、映像信号を解析するために大きな回路規模を必要とする。また、映像信号の内容によって正常か否かの判定を行うためには、複雑な取り決めが必要であり実現が困難である。特許文献２の方法は異常な表示を未然に防ごうとするものであり、異常な表示が起こってからの対処法を示すものではない。
【０００９】
本発明はこのような問題点を解決するためになされたものであり、処理に必要な回路規模の増大や取り決めの複雑化を抑えつつ、異常な表示が起こったことを受け再初期化を自動的に行うことが可能な液晶表示装置を提供することを目的とする。
【課題を解決するための手段】
【００１０】
本発明に係る液晶表示装置は、液晶モジュール駆動部と液晶モジュール駆動部によって駆動される液晶モジュールを備える液晶表示装置であって、液晶モジュール駆動部は、液晶モジュールに対応した電源電圧、映像信号、およびタイミング信号を出力する手段を備え、液晶モジュールは、タイミング信号を受け同期信号を再生し出力する手段を備え、液晶モジュール駆動部は、同期信号を受けタイミング信号と比較し同期信号が正常か否かを判定し、判定により液晶モジュールの再初期化処理を行うか否かの制御をする制御手段をさらに備えて構成される。
【発明の効果】
【００１１】
本発明によれば、液晶モジュールに送信する信号が意図せず液晶モジュールの受け入れられない信号になり異常な表示になった場合でも、使用者による電源の再投入を必要とせず再初期化処理を自動的に行うことが可能である。これは、使用者側には液晶テレビが不良品ではないかという不安を感じないという利点があり、開発者側には該当症状による使用者からの問い合わせが減ると言う利点がある。また本発明では、異常な表示になったか否かの判定に同期信号の周期を利用しており、周期の一致と言う単純な判定方法で効果が得られるため、判定に映像信号を利用する方法等に比べ小さな回路規模ですみ実現が容易に可能である。
【発明を実施するための最良の形態】
【００１２】
以下、この発明をその実施の形態を示す図面に基づいて具体的に説明する。
【００１３】
＜実施の形態１＞
（構成）
図１は、本発明に係る液晶表示装置の一例を示す、液晶テレビ１０のブロック図である。
【００１４】
図示の液晶テレビ１０は、テレビ回路（液晶モジュール駆動部）１１とテレビ回路１１によって駆動される液晶モジュール１２を備える。テレビ回路１１は、映像処理部２、タイミング発生部３、電圧発生部４、制御部１を有し、液晶モジュール１２は、タイミングコントロール部６、液晶ドライバ部７、液晶部８を有する。
【００１５】
テレビ回路１１について、制御部１は映像処理部２、タイミング発生部３、および電圧発生部４と接続され、各部の処理方法と出力を指示する。また、映像処理部２およびタイミング発生部３は、図示しない供給手段から映像信号Ｖｄを受ける。
【００１６】
映像処理部２は上記Ｖｄを受け、液晶モジュール１２に対応したデジタル映像信号Ｖｐに変換し出力する。変換方法、Ｖｐの出力および停止は制御部１からの制御信号Ｓｃによって指示される。
【００１７】
タイミング発生部３はＶｄを受け、制御信号Ｓｃの指示によって液晶モジュール１２に対応した周期の映像エリア信号や、クロックなどのタイミング信号Ｓｅを生成し、出力および停止をする。
【００１８】
電圧発生部４は液晶モジュール１２に対応した電源電圧を発生し、制御信号Ｓｃの指示によって電源電圧Ｄｃの出力および停止をする。電圧発生部４は液晶モジュール１２と接続され、電源電圧を供給する。
【００１９】
一方、液晶モジュール１２について、タイミングコントロール部６はテレビ回路１１の映像処理部２およびタイミング発生部３と接続され、デジタル映像信号Ｖｐおよびタイミング信号Ｓｅを受け、液晶ドライバ部７へ受け渡すタイミング映像信号Ｖｔを出力する。また、タイミング信号Ｓｅを受け液晶ドライバ部７を動作させるための同期信号Ｓｓを再生し出力する。
【００２０】
液晶ドライバ部７は、タイミングコントロール部６と接続されタイミング映像信号Ｖｔ，同期信号Ｓｓを受け、液晶駆動信号Ｄｖを出力する。液晶部８は液晶ドライバ部７と接続され、液晶駆動信号Ｄｖを受け映像を表示する。以上は、従来の液晶テレビと同様な構成である。
【００２１】
本発明では、制御部１は液晶モジュール１２内のタイミングコントロール部６と接続され、タイミングコントロール部６から出力される同期信号Ｓｓを受け、Ｓｓの周期が、ある範囲内であるかどうかを監視する。範囲内であれば正常、範囲外であれば異常と判断する。正常と判断した場合は何もせず、異常と判断した場合は映像処理部２、タイミング発生部３、電圧発生部４を制御し、液晶モジュール１２について後述する再初期化処理を行う。
【００２２】
（動作）
以降に、本実施の形態に係る液晶テレビ１０の動作例を示す。液晶テレビ１０の電源投入時、制御部１は映像処理部２、タイミング発生部３に対して液晶モジュール１２に送出するべきデジタル映像信号Ｖｐと、タイミング信号Ｓｅの生成を指示する。また、デジタル映像信号Ｖｐとタイミング信号Ｓｅは、液晶モジュール１２に適したある周期になるよう制御部１から指示されている。生成終了後、制御部１は電圧発生部４に対して電源電圧Ｄｃの出力を指示する。
【００２３】
ここで例えば、電源電圧Ｄｃを加えてから、デジタル映像信号Ｖｐとタイミング信号Ｓｅの入力までの時間が０〜５０ｍ秒に規定されている液晶モジュール１２を使用した液晶テレビ１０を構成したとする。制御部１は５０ｍ秒以内に映像処理部２、タイミング発生部３にデジタル映像信号Ｖｐ，タイミング信号Ｓｅの出力指示を行う。以上の制御を初期化と呼ぶとする。前記の初期化により液晶モジュール１２に電源電圧Ｄｃが加えられてから０〜５０ｍ秒以内にデジタル映像信号Ｖｐとタイミング信号Ｓｅが入力され、タイミングコントロール部６が動作し、液晶ドライバ部７にタイミング映像信号Ｖｔと同期信号Ｓｓ、液晶部８に液晶駆動信号Ｄｖが行き渡り正常な映像が表示されることになる。
【００２４】
制御部１には通常マイクロコンピュータ（以降マイコン）が使用される。マイコンは図示される制御以外の様々な制御を行う。そのため、他の割り込み処理によって、前記タイミングが意図せず通常のタイミングと異なってしまう場合がある。例えば、液晶テレビ１０の電源投入時、前述の電圧発生部４に電源電圧Ｄｃの出力を指示した直後に、他の割り込み処理によって、映像処理部２、タイミング発生部３への指示が遅れる場合である。
【００２５】
このとき、液晶モジュール１２に電源電圧Ｄｃが加えられてから０〜５０ｍ秒以内にデジタル映像信号Ｖｐとタイミング信号Ｓｅが入力されないため、タイミングコントロール部６が誤動作をし、正常な同期信号Ｓｓを再生できない。このため以降の液晶ドライバ部７、液晶部８に正常な信号が行き渡らず異常な画面表示となってしまう。この液晶モジュール１２は前記の規定時間が守れない場合は縦線しか表示されないなどの異常な画面表示になるとする。実際にこのような液晶モジュールは多数存在する。
【００２６】
図２は、タイミングコントロール部６に入力されるタイミング信号Ｓｅのうちの映像有効期間信号Ｅｎと、Ｅｎから正常に再生された同期信号Ｓｓの一例を示す図である。Ｅｎはタイミング発生部３で、制御部１によって指示された周期で生成される。タイミングコントロール部６は、Ｅｎの立下りエッジから水平周期の信号である水平同期信号を生成する。長期間、Ｅｎの存在しない垂直ブランキング期間には、何ライン目かの周期を再現することによって水平同期信号を再生する。次フレーム（Ｎ＋１フレーム）には、再度Ｅｎが存在するので、その立下りエッジで水平同期信号を生成する。また、Ｎ＋１フレームの１ライン目のＥｎの立ち上がりエッジから、垂直周期の同期信号である垂直同期信号を再生する。この、水平同期信号と垂直同期信号を合わせて同期信号Ｓｓとする。
【００２７】
しかしながら、前記の異常な画面表示となってしまう場合には同期信号Ｓｓが発生しない、または、映像有効期間信号Ｅｎの水平および垂直周期とは異なる周期の同期信号となってしまう。
【００２８】
このときの制御部１の処理を示すフローチャートを図３に示す。制御部１は同期信号Ｓｓの周期を監視し（ステップＳ１）、制御部１がタイミング発生部３に指示した映像有効期間信号Ｅｎの周期と一致するか否かの判定を行う（ステップＳ２）。一致する場合には正常（ステップＳ２のＹｅｓ）、異なる場合には異常と判定する（ステップＳ２のＮｏ）。正常と判定した場合は何もしない（ステップＳ５）。異常と判定した場合には、映像処理部２、タイミング発生部３、電圧発生部４に対しデジタル映像信号Ｖｐ、タイミング信号Ｓｅ、電源電圧Ｄｃの出力を停止するよう制御信号Ｓｃによって制御を行い（ステップＳ３）、その後再度、Ｖｐ，Ｓｅ，Ｄｃの出力を開始し（ステップＳ４）、ステップＳ３およびステップＳ４により再初期化処理を行う。すなわち、制御部１は同期信号Ｓｓを受け、タイミング信号Ｓｅのうちの映像有効期間信号Ｅｎの周期と比較し、同期信号Ｓｓが正常か否かを判定し、判定により液晶モジュール１２の再初期化処理を行うか否かの制御を行う。
【００２９】
前述の異常な画面表示となってしまう場合は意図しない割り込みによるものが多く、ほとんどの場合は正常な時間でＤｃ，Ｖｐ，Ｓｅが出力されることにより正常な画面表示が得られる。図３の処理を周期的に実行することで本発明の効果が得られる。
【００３０】
異常画面は、タイミング信号Ｓｅに含まれる映像有効期間信号Ｅｎの水平、垂直周期を変更する場合にも起きる可能性がある。通常、液晶モジュール１２には入力されるタイミング信号の水平、垂直周期の上限、および下限が規定してある。この規定を一定期間超えると、タイミングコントロール部６が誤動作し、再度、規定内の信号に戻っても異常画面になってしまい正常表示に戻らない。Ｅｎの水平、垂直周期を変更する場合には制御部１はタイミング発生部３に対して、例えば水平の周期変更、続いて垂直の周期変更を行うように制御を行う。この時、水平の周期変更を行ってから、垂直の周期変更を行うまでの間に、液晶モジュール１２の規定を超える水平、垂直周期が発生する場合がある。通常、水平の周期変更と、垂直の周期変更は連続して行われるため問題はない。しかし、水平の周期変更と、垂直の周期変更の制御の間に意図せずに他の割り込みが入り、液晶モジュール１２の規定を超える水平、垂直周期が持続した場合には異常画面になってしまう場合がある。このような場合にも本処理によって正常画面に復帰させるが可能である。
【００３１】
（効果）
本発明によれば、液晶モジュール１２に送信する信号が意図せず液晶モジュール１２の受け入れられない信号になり異常な表示になった場合でも、使用者による電源の再投入を必要とせず再初期化処理を自動的に行うことが可能である。これは、使用者側には液晶テレビが不良品ではないかという不安を感じないという利点があり、開発側には該当症状による使用者からの問い合わせが減ると言う利点がある。また本発明では、異常な表示になったか否かの判定に同期信号の周期を利用しており、周期の一致と言う単純な判定方法で効果が得られるため、判定に映像信号を利用する方法等に比べ小さな回路規模ですみ実現が容易に可能である。
【００３２】
＜実施の形態２＞
（構成）
図１を基に、本実施の形態に係る液晶テレビ１０の構成を示す。
【００３３】
本実施の形態において制御部１は、再初期化処理を所定の回数繰り返しても同期信号Ｓｓが正常であるとの判定がなされない場合、電源電圧Ｄｃ、デジタル映像信号Ｖｐ、およびタイミング信号Ｓｅの出力を停止する機能を備える。
【００３４】
その他の構成は実施の形態１と同様であるので、ここでの詳細な説明は省略する。
【００３５】
（動作）
図４に本実施の形態に係る制御部１の処理を示すフローチャートを示す。ここで変数ｋは、処理中の比較により同期信号Ｓｓの周期が映像有効期間信号Ｅｎの周期と一致しなかった回数を表す。ｋ＝０からスタートする。制御部１は同期信号Ｓｓの周期を監視し（ステップＳ１１）、Ｓｓの周期がＥｎの周期と一致するか否かの判定を行なう（ステップＳ１２）。一致する場合には正常（ステップＳ１２のＹｅｓ）、異なる場合には異常と判定する（ステップＳ１２のＮｏ）。正常と判定した場合は何もしない（ステップＳ１３）。異常と判定した場合にはｋの値に１を加算し（ステップＳ１４）、映像処理部２、タイミング発生部３、電圧発生部４に対し、デジタル映像信号Ｖｐ、タイミング信号Ｓｅ、電源電圧Ｄｃの出力を停止するよう制御信号Ｓｃによって制御を行う（ステップＳ１５）。
【００３６】
その後、ｋの値が所定の値Ｎに達したかの確認を行う（ステップＳ１６）。ｋ＝Ｎであれば液晶モジュール内の故障により同期信号Ｓｓが正常に発生しなくなったと判断し（ステップＳ１６のＹｅｓ）、Ｖｐ，Ｓｅ，Ｄｃの出力を停止したままにし、故障時の処理を行う（ステップＳ１７）。ｋ＝Ｎでなければ（ステップＳ１６Ｎ）Ｖｐ，Ｓｅ，Ｄｃの出力を開始する（ステップＳ１８）。すなわち、ステップＳ１５およびステップＳ１８により再初期化処理を行う。その後、再度ステップＳ１２の処理へ戻る。以降、同期信号Ｓｓの周期が映像有効期間信号Ｅｎ信号の周期と一致する場合、あるいはｋの値が所定の値Ｎと一致する場合を除き、変数ｋの値に１を加算しつつ再初期化の処理をループ状に繰り返す。
【００３７】
（効果）
本実施の形態においては、再初期化の処理を複数回繰り返すことにより、正常な表示状態になる可能性を上げていると共に、該処理を複数回繰り返した後は液晶モジュール１２への信号を停止したまま故障時の処理が行われるため、故障した液晶モジュール１２に信号を与え続けることによる発煙などの事故の可能性を防ぐことが可能となる。
【図面の簡単な説明】
【００３８】
【図１】本発明の実施の形態１に係る液晶テレビ１０のブロック図である。
【図２】本発明の実施の形態１に係る同期信号Ｓｓの一例を示すタイミング図である。
【図３】本発明の実施の形態１に係る制御部１の処理を示すフローチャートである。
【図４】本発明の実施の形態２に係る制御部１の処理を示すフローチャートである。
【符号の説明】
【００３９】
１  制御部、２  映像処理部、３  タイミング発生部、４  電圧発生部、６  タイミングコントロール部、７  液晶ドライバ部、８  液晶部、１０  液晶テレビ、１１  テレビ回路、１２  液晶モジュール。
【図１】
2009223086.tif 000003
【図２】
2009223086.tif 000004
【図３】
2009223086.tif 000005
【図４】
2009223086.tif 000006